(57)【要約】【課題】小型の直流開閉器を提供する。【解決手段】直流開閉器１のケース５は、並設される２組の電路１０ａ，１０ｂを収容する。２組の電路１０ａ，１０ｂには、固定接点２１ａ，２１ｂを有する固定接触子１７ａ，１７ｂと、可動接点２２ａ，２２ｂを有する可動接触子１８ａ，１８ｂとを１組とする第１及び第２の開閉部３０ａ，３０ｂが設けられている。第１及び第２の開閉部３０ａ，３０ｂは、ハンドル１５の操作に連動して固定接点２１ａ，２１ｂと可動接点２２ａ，２２ｂとの間を開閉する。２組の電路１０ａ，１０ｂは、並設方向に対して直交する方向において、互いに段違い、且つ並設方向において互いの一部が重なり合うように設けてある。【選択図】図１
2014056732.tif 000002
【特許請求の範囲】
【請求項１】
固定接点を有し第１の端子と電気的に接続される固定接触子と、当該固定接点に対して接離する可動接点を有し第２の端子と電気的に接続される可動接触子と、を１組として並設された複数組の開閉部と、ハンドルの操作に連動して前記固定接点と前記複数組の可動接点とを開閉する開閉機構と、がケースに収容されてなる直流開閉器において、
前記各第１の端子から各第２の端子までの複数組の電路は、各開閉部の前記並設方向に対して直交する方向において、互いに段違い、且つ前記並設方向において互いの一部が重なり合うように設けられたことを特徴とする直流開閉器。
【請求項２】
請求項１に記載の直流開閉器において、
前記ケースは、複数の第１及び第２の端子のうち、少なくとも１つの端子を前記並設方向において間に挟んで内外に貫通する２つの空間を有することを特徴とする直流開閉器。
【請求項３】
請求項２に記載の直流開閉器において、
前記ケースは、前記並設方向において、複数の第１及び第２の端子を挟んで対向する一対の側壁を備え、前記一対の側壁の一方は、その一部分として脆弱部を介して当該一方の側壁の本体部分に連結された端子対応部分を備え、
前記２つの空間の１つは、前記端子対応部分が前記脆弱部を境として前記一方の側壁から取り外されることにより形成されることを特徴とする直流開閉器。
【請求項４】
請求項１〜３のうちいずれか一項に記載の直流開閉器において、
前記複数組みの開閉部のうち、少なくとも１つは、消弧部を有し、
前記消弧部は、前記可動接点と前記固定接点との接離方向に対して交わる方向において、前記可動接点及び前記固定接点を間に挟んで対向する２つの磁石と、前記２つの磁石の間に接続されて磁路を形成する継鉄と、を備えることを特徴とする直流開閉器。
【請求項５】
請求項１〜４何れかに記載の直流開閉器に、前記各第１の端子から各第２の端子までの複数の電路の少なくとも１つに異常電流が流れたときに、前記開閉機構を通じて前記可動接点を前記固定接点に対して離間させる異常電流遮断手段を設けてなる直流遮断器。
【発明の詳細な説明】
【技術分野】
【０００１】
本発明は、直流開閉器および直流遮断器に関するものである。
【背景技術】
【０００２】
近年、省エネルギーや、節電を目的として複数の太陽光パネルが相互接続された太陽光パネルモジュールを設置する住宅が増えている。太陽光パネルは、光起電力効果を利用して太陽の光エネルギーから直流電力を生成する。太陽光パネルモジュールは、直流電力を交流電力に変換するインバータを介して分電盤（ブレーカー）と接続されている。太陽光パネルモジュールが生成した電力は、分電盤を介して住宅内に配設されるコンセントに供給される。
【０００３】
通常、太陽光パネルモジュールとインバータとの間には、例えば、特許文献１の直流開閉器が配設されている。直流開閉器は、太陽光パネルモジュールが生成した直流電力のインバータへの供給のオンオフを切り替える。直流開閉器をオンからオフに切り替えることにより、太陽光パネルモジュールの保守作業を安全に行うことができる。
【先行技術文献】
【特許文献】
【０００４】
【特許文献１】特開平１０−１５４４５８号公報
【発明の概要】
【発明が解決しようとする課題】
【０００５】
ところで、太陽光発電量は、太陽光パネルモジュールの数に比例する。このため、使用する電力の多くを太陽光発電でまかなう住宅には、多数の太陽光パネルモジュールが設置される。また、太陽光パネルモジュールを複数接続したユニットの数だけ直流開閉器が必要とされる。直流開閉器は、住宅に取り付けられるものなので、太陽光パネルモジュールの数に比例して直流開閉器の数が増加すると、複数の直流開閉器によって占領されるスペースが増加する。住宅において直流開閉器を取り付けるためのスペースは限りがあるので、複数の直流開閉器によって占領されるスペースが増加すると、これら複数の直流開閉器を取り付けられないおそれがある。
【０００６】
本発明は、こうした実状に鑑みてなされたものであり、その目的は、小型の直流開閉器を提供することにある。
【課題を解決するための手段】
【０００７】
上記課題を解決するために、本発明は、固定接点を有し第１の端子と電気的に接続される固定接触子と、当該固定接点に対して接離する可動接点を有し第２の端子と電気的に接続される可動接触子と、を１組として並設された複数組の開閉部と、ハンドルの操作に連動して前記固定接点と前記複数組の可動接点とを開閉する開閉機構と、がケースに収容されてなる直流開閉器において、前記各第１の端子から各第２の端子までの複数組の電路は、各開閉部の前記並設方向に対して直交する方向において、互いに段違い、且つ前記並設方向において互いの一部が重なり合うように設けられたことを特徴とする。
【０００８】
また、上記構成において、前記ケースは、複数の第１及び第２の端子のうち、少なくとも１つの端子を前記並設方向において間に挟んで内外に貫通する２つの空間を有することを特徴とする。
【０００９】
また、上記構成において、前記ケースは、前記並設方向において、複数の第１及び第２の端子を挟んで対向する一対の側壁を備え、前記一対の側壁の一方は、その一部分として脆弱部を介して当該一方の側壁の本体部分に連結された端子対応部分を備え、前記２つの空間の１つは、前記端子対応部分が前記脆弱部を境として前記一方の側壁から取り外されることにより形成されることを特徴とする。
【００１０】
また、上記構成において、前記複数組みの開閉部のうち、少なくとも１つは、消弧部を有し、前記消弧部は、前記可動接点と前記固定接点との接離方向に対して交わる方向において、前記可動接点及び前記固定接点を間に挟んで対向する２つの磁石と、前記２つの磁石の間に接続されて磁路を形成する継鉄と、を備えることを特徴とする。
【００１１】
また、上記構成の直流開閉器は、前記各第１の端子から各第２の端子までの複数の電路の少なくとも１つに異常電流が流れたときに、前記開閉機構を通じて前記可動接点を前記固定接点に対して離間させる異常電流遮断手段を設けた直流遮断器であることを特徴とする。
【発明の効果】
【００１２】
本発明の直流開閉器および直流遮断器によれば、より小型化できる。
【図面の簡単な説明】
【００１３】
【図１】側面カバーが取り外された状態の直流開閉器の側面図。
【図２】側面カバーを含む図１の２−２線における断面図。
【図３】側面カバーを含む図１の３−３線における断面図。
【図４】側面カバーを含む図１の４−４線における断面図。
【図５】消弧部の分解斜視図。
【図６】消弧部のアーク、及び磁路を示す断面図。
【図７】直流開閉器の斜視図。
【図８】側面カバーの斜視図。
【図９】（ａ）は図８の９−９線における断面図、（ｂ）は第２の側壁部が側面カバーから取り外された状態を示す断面図。
【発明を実施するための形態】
【００１４】
以下、本発明の直流開閉器を具体化した一実施の形態を図１〜図９に基づいて説明する。
図１に示すように、直流開閉器１のケース５は、略直方状に形成されるとともに、その内部には、プラス極およびマイナス極に対応した２組の電路１０ａ，１０ｂを有する。電路１０ａ，１０ｂは、ケース５の長手方向へ延び、それらの両端部には、それぞれケース５から露出する入力端子１１ａ，１１ｂ、及び出力端子１２ａ，１２ｂが設けられている。なお、図３に示すように、ケース５は、第１のケース５ａ、第２のケース５ｂ、側面カバー５ｃからなる。図３及び図４に示すように、入力端子１１ａ及び出力端子１２ａは、第１のケース５ａと第２のケース５ｂとの間に、入力端子１１ｂ及び出力端子１２ｂは、第２のケース５ｂと側面カバー５ｃとの間に、それぞれ配設されている。
【００１５】
図１に示すように、入力端子１１ａ，１１ｂには、図示しない太陽光パネルモジュールのプラス端子＋Ｐ１、マイナス端子−Ｐ１がそれぞれ接続されている。詳しくは、図４に示すように、プラス端子＋Ｐ１、マイナス端子−Ｐ１は、螺子７によって、入力端子１１ａ，１１ｂに圧接されている。入力端子１１ａ，１１ｂは、高さ方向および幅方向ともに異なる位置に設けられている。すなわち、入力端子１１ａは、入力端子１１ｂの図中右上に位置し、入力端子１１ｂは、入力端子１１ａの図中左下に位置する。
【００１６】
また、図３に示すように、出力端子１２ａ，１２ｂには、図示しない電力変換装置のプラス端子＋Ｐ２、マイナス端子−Ｐ２がそれぞれ接続されている。詳しくは、プラス端子＋Ｐ２、マイナス端子−Ｐ２は、螺子７によって、出力端子１２ａ，１２ｂに圧接されている。出力端子１２ａ，１２ｂは、高さ方向および幅方向ともに異なる位置に設けられている。すなわち、出力端子１２ａは、出力端子１２ｂの図中左上に位置し、出力端子１２ｂは、出力端子１２ａの図中右下に位置する。このように、直流開閉器１は、各入力端子１１ａ，１１ｂ、及び各出力端子１２ａ，１２ｂを介して太陽光パネルモジュールと電力変換装置との間を導通可能である。
【００１７】
次に、直流開閉器１の内部構成について説明する。
図１に示すように、ケース５の内部には、両電路１０ａ，１０ｂを構成する第１及び第２の開閉部３０ａ，３０ｂと、ハンドル１５と、リンク機構１６と、が設けられている。なお、第１及び第２の開閉部３０ａ，３０ｂ及びリンク機構１６が開閉機構を構成する。
【００１８】
図２に示すように、第１及び第２の開閉部３０ａ，３０ｂは、直流開閉器１の幅方向に沿って段違いに設けられている。また、第１の開閉部３０ａは上側に、第２の開閉部３０ｂは下側に、それぞれ位置している。すなわち、これら第１及び第２の開閉部３０ａ，３０ｂの位置関係は、先に説明した入力端子１１ａ，１１ｂの位置関係、及び出力端子１２ａ，１２ｂの位置関係と同じとされている。また、第１及び第２の開閉部３０ａ，３０ｂは、高さ方向からみて一部が重なるように位置している。詳しくは、第１の開閉部３０ａの右側部分と、第２の開閉部３０ｂの左側部分とが上下方向（高さ方向）において重なっている。なお、第１の開閉部３０ａと、第２の開閉部３０ｂとの上下方向において重なっている部分の間は、開閉動作する際に生じる磁束によって互いに影響を受けることがない程度に離間している。
【００１９】
また、ケース５の内部において第１の開閉部３０ａの右側、すなわち、第２の開閉部３０ｂの上側には空間１４ａが形成されている。さらに、ケース５の内部において第１の開閉部３０ａの下側、すなわち、第２の開閉部３０ｂの左側には空間１４ｂが形成されている。
【００２０】
図２において一点鎖線で示すように、直流開閉器１は、同一のものが幅方向に沿って複数同じ向きで並べられている。各直流開閉器１は、太陽光パネルモジュールの数に対応して設けられる。この場合、中央の直流開閉器１における第１の開閉部３０ａと、その右隣の直流開閉器１における第１の開閉部３０ａとの間は、中央の直流開閉器１の内部の空間１４ａを挟んで距離Ｌ１だけ離間している。また、中央の直流開閉器１における第２の開閉部３０ｂと、その右隣の直流開閉器１における第２の開閉部３０ｂとの間は、右隣の直流開閉器１の内部の空間１４ｂを挟んで距離Ｌ２だけ離間している。すなわち、隣り合う直流開閉器１の第１の開閉部３０ａ同士の間は距離Ｌ１だけ、第２の開閉部３０ｂ同士の間は距離Ｌ２だけ、それぞれ離間している。距離Ｌ１，Ｌ２は、第１及び第２の開閉部３０ａ，３０ｂが開閉動作する際に生じる磁束によって隣り合う直流開閉器１の開閉部３０ａ，３０ｂが影響を受けることがない程度の距離とされている。このように、空間１４ａ，１４ｂを設けることにより、第１及び第２の開閉部３０ａ，３０ｂは、磁束の影響をより受けにくくなる。
【００２１】
図１に示すように、第１及び第２の開閉部３０ａ，３０ｂは、入力端子１１ａ，１１ｂと接続された固定接触子１７ａ，１７ｂと、出力端子１２ａ，１２ｂと接続された可動接触子１８ａ，１８ｂと、これら固定接触子１７ａ，１７ｂの先端部及び可動接触子１８ａ，１８ｂの先端部を覆う消弧部１９ａ，１９ｂとを備える。なお、固定接触子１７ａ，１７ｂの先端部と可動接触子１８ａ，１８ｂの先端部とは、上下方向において互いに対向する。
【００２２】
ハンドル１５の操作部１５ａは、外部に露出している。ハンドル１５は、リンク機構１６に支持されている。リンク機構１６は、可動接触子１８ａ，１８ｂの一部を支持する。リンク機構１６は、ハンドル１５の回転に伴い各可動接触子１８ａ，１８ｂを高さ方向（図１中の上下方向）に変移させる。
【００２３】
固定接触子１７ａ，１７ｂは、長手方向（図１中の左右方向）に延びる薄板状に形成されている。また、固定接触子１７ａ，１７ｂの先端部において可動接触子１８ａ，１８ｂ側の面には、固定接点２１ａ，２１ｂが形成されている。
【００２４】
可動接触子１８ａ，１８ｂは、固定接触子１７ａ，１７ｂと同様に、長手方向（図中の左右方向）に延びる薄板状に形成されている。また、可動接触子１８ａ，１８ｂの先端部において固定接触子１７ａ，１７ｂ側の面には、可動接点２２ａ，２２ｂが形成されている。可動接点２２ａ，２２ｂは、可動接触子１８ａ，１８ｂの上下動に伴い、固定接点２１ａ，２１ｂに対して接離可能とされている。
【００２５】
第２の開閉部３０ｂの固定接触子１７ａ，１７ｂおよび可動接触子１８ａ，１８ｂは、先に説明した第１の開閉部３０ａと同様の構成とされている。
第１及び第２の開閉部３０ａ，３０ｂの消弧部１９ａ，１９ｂは異なる構成である。まず、第１の開閉部３０ａの消弧部１９ａの構成について説明する。
【００２６】
図５に示すように、第１の開閉部３０ａの消弧部１９ａは、磁気ヨーク３１と、一対の永久磁石３２と、絶縁ホルダ３３と、を備える。
各永久磁石３２は正方形の平板状に形成されるとともに、その厚さ方向にＳ極およびＮ極が着磁されている。
【００２７】
絶縁ホルダ３３は、図中の下側に開口した略Ｕ字状に形成されている。詳しくは、絶縁ホルダ３３は、一対の側壁３３ａ，３３ｂおよびその側壁３３ａ，３３ｂを連結する上壁３３ｃから構成されている。側壁３３ａ，３３ｂの外面には、永久磁石３２を装着可能とした収納穴３３ｄが形成されている。
【００２８】
磁気ヨーク３１は、フェライト等の磁性体で形成されるとともに、絶縁ホルダ３３の外面を覆うＵ字状に形成されている。
絶縁ホルダ３３の収納穴３３ｄに永久磁石３２がはめ込まれる。そして、その絶縁ホルダ３３に磁気ヨーク３１が上側からはめ込まれる。磁気ヨーク３１のＵ字腕部分は、永久磁石３２の外面に接触した状態に維持される。磁気ヨーク３１は、２つの永久磁石３２間での磁路を形成する。
【００２９】
次に、第２の開閉部３０ｂの消弧部１９ｂの構成について説明する。
図２に示すように、第２の開閉部３０ｂの消弧部１９ｂは、上記永久磁石３２と同一形状である一対の永久磁石３５を有する。両永久磁石３５は、可動接触子１８ｂおよび固定接触子１７ｂを挟んで幅方向に対面している。
【００３０】
次に、ケース５における出力端子１２ｂの周辺部の構成について説明する。
図８に示すように、側面カバー５ｃにおける出力端子１２ｂ（図３参照）に対応する部位には、第１の及び第２の側壁部５１，５２が形成されている。第１の側壁部５１は、第２の側壁部５２の上側に設けられている。第１の側壁部５１と第２の側壁部５２との間、及び第２の側壁部５２と側面カバー５ｃ（本体）との間には、それぞれ隙間が形成されている。図９（ａ）に示すように、第２の側壁部５２の根元部５２ａには、脆弱部としての切り込み５３が形成されている。このため、第２の側壁部５２の根元部５２ａの厚みは、第２の側壁部５２の他の部位の厚みよりも薄い。図３に示すように、これら第１及び第２の側壁部５１，５２によって出力端子１２ｂがむき出しの状態になることを防いでいる。なお、図３に示すように、第１のケース５ａ及び第２のケース５ｂにおける出力端子１２ｂに対応する部位には、第１の間隙部５５が形成されている。第１の間隙部５５と第２の側壁部５２とは、出力端子１２ｂを挟んで対向する。
【００３１】
次に、直流開閉器１の作用について説明する。
図１に示すように、両電路１０ａ，１０ｂに電流が流れている状態で、ハンドル１５の操作を通じて、各可動接触子１８ａ，１８ｂを固定接触子１７ａ，１７ｂから離間させる。このとき、固定接点２１ａ，２１ｂと、可動接点２２ａ，２２ｂとの間にはアークが生じる。アークは、両永久磁石３２，３２間に発生する磁束に交わるように発生する。
【００３２】
すなわち、図６に示すように、第１の開閉部３０ａにおける永久磁石３２は、固定接点２１ａと可動接点２２ａとの間で発生するアークに、電磁力学によるところのローレンツ力を作用させてアークを伸長させる。このとき、絶縁ホルダ３３は、アークが永久磁石３２および磁気ヨーク３１に橋絡しないよう、永久磁石３２および磁気ヨーク３１を保護する。アークを伸長させることで、アーク電圧を上昇させることができる。このアーク電圧が固定接点２１ａと可動接点２２ａとの間の印加電圧を超えたときにアークは消弧される。よって、固定接点２１ａと可動接点２２ａ間が電気的に遮断した状態となる。
【００３３】
第２の開閉部３０ｂにおける永久磁石３５も同様にアークを伸長させることでアークを消弧する。よって、固定接点２１ｂと可動接点２２ｂとの間も電気的に遮断した状態となる。
【００３４】
さて、図１に示すように、第１及び第２の開閉部３０ａ，３０ｂをはじめとして電路１０ａ，１０ｂは、上下方向において、互いに段違いである。特に、図２に示すように、第１及び第２の開閉部３０ａ，３０ｂは、幅方向において重なり合うように設けられている。すなわち、オーバーラップしている。これにより、直流開閉器１の幅方向の大きさが抑制される。ひいては、複数の直流開閉器１を並べたときの全体の大きさが抑制される。
【００３５】
また、図３及び図４に示すように、入力端子１１ａ，１１ｂ及び出力端子１２ａ，１２ｂは、上下方向において、段違いとされているので、それぞれに接続される端子を圧接させるための螺子７に、径の大きいものを採用することができる。
【００３６】
図９（ａ）に示すように、第２の側壁部５２の根元部５２ａには、切り込み５３が形成されている。このため、図９（ｂ）に示すように、第２の側壁部５２にケース５の幅方向への力を加えると、第２の側壁部５２は、根元部５２ａから簡単に折れる。これにより、第２の側壁部５２を側面カバー５ｃから取り外すことができる。図７に示すように、第２の側壁部５２が取り外された部位を、第２の間隙部５６とする。第２の側壁部５２は、出力端子１２ｂを挟んで第１の間隙部５５と対向するように形成されたものなので、第２の間隙部５６は、出力端子１２ｂを挟んで第１の間隙部５５と対向する。このため、図７に示すように、板状の連接バー５７を第１及び第２の間隙部５５，５６に挿入し、出力端子１２ｂに取り付けることができる。ひいては、複数の直流開閉器１を並べたとき、連接バー５７を介して複数の直流開閉器１の出力端子１２ｂ同士を接続することができる。このように接続した場合、複数の直流開閉器１のうち一つの出力端子１２ｂを電力変換装置に接続すればよい。言い換えれば、他の各直流開閉器１の出力端子１２ｂは、電力変換装置に接続するための配線を繋ぐ必要がない。ひいては、配線が簡単になる。
【００３７】
以上詳述したように、本実施形態によれば、以下に示す効果が得られる。
（１）第１及び第２の開閉部３０ａ，３０ｂをはじめとして電路１０ａ，１０ｂが、上下方向において互いに段違いに、かつ幅方向において重なり合うように（オーバーラップするように）直流開閉器１を形成した。これにより、直流開閉器１の幅方向の大きさが抑制される。ひいては、複数の直流開閉器１を並べたときの全体の大きさが抑制される。
【００３８】
（２）１つの幅方向において出力端子１２ｂを挟むように第１及び第２の間隙部５５，５６を設けた。これにより、板状の連接バー５７を第１及び第２の間隙部５５，５６に挿入し、出力端子１２ｂに取り付けることができる。ひいては、複数の直流開閉器１を並べたとき、連接バー５７を介して複数の直流開閉器１の出力端子１２ｂ同士を接続することができる。このように接続すれば、各直流開閉器１の出力端子１２ｂに配線を繋ぐ必要がない。ひいては、配線が煩雑にならない。
【００３９】
（３）第２の側壁部５２の根元部５２ａに、切り込み５３を設けた。これにより、第２の側壁部５２は、その根元部５２ａから折ることにより、側面カバー５ｃから取り外すことができる。このように、根元部５２ａから折るという容易な作業により、第２の間隙部５６を設けることができる。また、第２の間隙部５６を設ける必要がない、すなわち、第２の側壁部５２を取り外さない場合は、当該第２の側壁部５２は、第１の側壁部５１とともに、出力端子１２ｂが外部にむきだしになることを防ぐ。これにより、他の配線が出力端子１２ｂに接触することを抑制することができる。
【００４０】
（４）第１の開閉部３０ａの消弧部１９ａに磁気ヨーク３１を設けた。これにより、磁気ヨーク３１と永久磁石３２との間で磁路が形成される。このため、消弧部１９ａは、磁気による影響を受けにくい。従って、消弧部１９ａにかかるスペースを小さくすることができる。
【００４１】
なお、上記各実施形態は、以下のように変更してもよい。
・上記実施形態における直流開閉器１を直流遮断器として構成してもよい。図１に示すように、直流遮断器６０は、異常電流遮断手段としてソレノイドアクチュエータ１３を有する。ソレノイドアクチュエータ１３の可動部１３ａは、リンク機構１６に接続されている。ソレノイドアクチュエータ１３は、電路１０ａ，１０ｂに過電流が流れた場合に可動部１３ａを動作させて、固定接触子１７ａ，１７ｂから可動接触子１８ａ，１８ｂを離間させる。
【００４２】
・上記実施形態では、直流開閉器１を幅方向に複数並べた状態について説明したが、並べ方は、これに限らない。また、直流開閉器１は、単独で使用してもよい。
・上記実施形態では、１つの直流開閉器１に、２つの電路１０ａ，１０ｂが設けられたものについて説明したが、電路の数は、３以上であってもよい。複数の電路を幅方向において重なり合うように（オーバーラップするように）設ければ、直流開閉器１の幅方向の大きさを抑制することができる。
【００４３】
・上記実施形態では、１つの直流開閉器１に、２つの電路１０ａ，１０ｂが設けられ、２つの電路１０ａ，１０ｂのそれぞれに消弧部１９ａ，１９ｂが設けられたものについて説明したが、消弧部は、どちらか一方を省略してもよい。
【００４４】
また、消弧部１９ａ，１９ｂの構成も適宜変更可能である。例えば、消弧部１９ａから磁気ヨーク３１を省略してもよい。
・上記実施形態では、各電路１０ａ，１０ｂの入力端子１１ａ，１１ｂには太陽光パネルモジュールのプラス端子、マイナス端子がそれぞれ接続されていた。しかし、各電路１０ａ，１０ｂの入力端子１１ａ，１１ｂに各太陽光パネルモジュールからのプラス端子のみ、又はマイナス端子のみを接続してもよい。また、入力端子１１ａ，１１ｂと出力端子１２ａ，１２ｂとを逆に使用してもよい。
【００４５】
・上記実施形態において、第２の側壁部５２を省略してもよい。このように構成すれば、第２の側壁部５２を取り外す作業を必要とせずとも第１及び第２の間隙部５５，５６が形成される。
【００４６】
・上記実施形態において、切り込み５３は、溝形状など、第２の側壁部５２よりも薄い形状であればよい。
・上記実施形態では、直流開閉器１は、太陽光によって発電された電力を伝送するシステムに適用されたが、他の電力伝送システムに適用してもよい。
【符号の説明】
【００４７】
１…直流開閉器、５…ケース、１０ａ，１０ｂ…電路、１５…ハンドル、１７ａ，１７ｂ…固定接触子、１８ａ，１８ｂ…可動接触子、１９ａ，１９ｂ…消弧部、２１ａ，２１ｂ…固定接点、２２ａ，２２ｂ…可動接点、３０ａ，３０ｂ…開閉部。
【図１】
2014056732.tif 000003
【図２】
2014056732.tif 000004
【図３】
2014056732.tif 000005
【図４】
2014056732.tif 000006
【図５】
2014056732.tif 000007
【図６】
2014056732.tif 000008
【図７】
2014056732.tif 000009
【図８】
2014056732.tif 000010
【図９】
2014056732.tif 000011